(57)【特許請求の範囲】
【請求項１】
給水源から供給される洗浄水を噴出する衛生洗浄装置であって、
洗浄水を噴出する複数のノズルを含む噴出手段と、
前記給水源から供給される洗浄水に周期的な圧力変動を与えつつ洗浄水を加圧して前記噴出手段から噴出させる洗浄動作を行う加圧手段と、
前記複数のノズルのうち前記洗浄動作を行うノズルを設定する設定手段と、
前記設定手段の設定に基づいて前記加圧手段と前記複数のノズルとの間を選択的に連通させる流路切替手段と、
前記洗浄動作の開始を指示する指示手段と、
前記指示手段の指示に応答して前記加圧手段に滞留空気の排出動作をさせた後、前記洗浄動作へ移行させる制御手段とを備え、
前記制御手段は、前記排出動作時に、前記加圧手段と前記設定手段により設定されたノズル以外のノズルとが連通するように前記流路切替手段を切り替え、前記排出動作後に、前記加圧手段と前記設定手段により設定されたノズルとが連通するように前記流路切替手段を切り替えることを特徴とする衛生洗浄装置。
【請求項２】
前記加圧手段は、前記洗浄動作時よりも低い流速で前記噴出手段に洗浄水を供給することにより前記排出動作を行うことを特徴とする請求項１記載の衛生洗浄装置。
【請求項３】
前記加圧手段は、前記洗浄動作時よりも低い圧力で前記噴出手段に洗浄水を供給することにより前記排出動作を行うことを特徴とする請求項１または２記載の衛生洗浄装置。
【請求項４】
前記加圧手段は、洗浄水を加圧する圧力を時間経過とともに増加させることを特徴とする請求項３記載の衛生洗浄装置。
【請求項５】
時間の経過を計測する計時手段をさらに備え、
前記制御手段は、前記計時手段により計測された時間に基づいて前記加圧手段による前記排出動作を終了させ、前記洗浄動作へ移行させることを特徴とする請求項１〜４のいずれかに記載の衛生洗浄装置。
【請求項６】
前記制御手段は、前記計時手段により計測された時間が所定時間を経過したとき前記加圧手段による前記排出動作を終了させ、
前記所定時間は、前記給水源から供給された洗浄水が前記噴出手段から排出されるまでに要する時間以上に設定されることを特徴とする請求項５記載の衛生洗浄装置。
【請求項７】
前記供給源から供給される洗浄水を流動させつつ加熱する加熱手段をさらに備えたことを特徴とする請求項１〜６のいずれかに記載の衛生洗浄装置。
【請求項８】
前記加熱手段により加熱された洗浄水の温度を検知する温度検知手段をさらに備え、
前記制御手段は、前記温度検知手段により検知された温度に基づいて前記加圧手段の前記排出動作を終了させ、前記洗浄動作へ移行させることを特徴とする請求項１〜７のいずれかに記載の衛生洗浄装置。
【請求項９】
前記複数のノズルは、人体洗浄に用いられる第１のノズルと、人体洗浄以外に用いられる第２のノズルとを含み、
前記制御手段は、前記設定手段により前記第１のノズルが設定された場合に、前記排出動作時に、前記加圧手段と前記第２のノズルとが連通するように前記流路切替手段を切り替え、前記排出動作後に、前記加圧手段と前記第１のノズルとが連通するように前記流路切替手段を切り替えることを特徴とする請求項１〜８のいずれかに記載の衛生洗浄装置。
【請求項１０】
前記噴出手段は、
前記加圧手段から前記第１のノズルに洗浄水を供給する第１の流路と、
前記加圧手段から前記第２のノズルに洗浄水を供給する第２の流路とをさらに含み、
前記第２の流路は、前記第１の流路よりも低い圧力損失を有することを特徴とする請求項９記載の衛生洗浄装置。
【請求項１１】
前記制御手段は、前記複数のノズルのうち一のノズルによる前記洗浄動作中に前記設定手段により他のノズルが設定された場合に、前記加圧手段に再度滞留空気の前記排出動作をさせた後に、前記加圧手段と前記設定手段により設定された前記他のノズルとが連通するように前記流路切替手段を切り替えることを特徴とする請求項９または１０記載の衛生洗浄装置。
【請求項１２】
前記加圧手段と前記噴出手段との間の流路内の圧力が所定値を越えた場合に、前記加圧手段と前記噴出手段との間の流路を開放する流路開放手段をさらに備えたことを特徴とする請求項１〜１１のいずれかに記載の衛生洗浄装置。
【請求項１３】
前記噴出手段は、
前記加圧手段から供給された洗浄水を収容するシリンダ部と、
前記シリンダ部内に移動可能に挿入されるとともに前記シリンダ部から突出可能に設けられたピストン部とを含み、
前記ピストン部の外周面と前記シリンダ部の内周面との間に所定の隙間が設けられたことを特徴とする請求項１〜１２のいずれかに記載の衛生洗浄装置。
【発明の詳細な説明】
【０００１】
【発明の属する技術分野】
本発明は人体の局部を洗浄する衛生洗浄装置に関する。
【０００２】
【従来の技術】
人体の局部を洗浄する衛生洗浄装置においては、人体に不快感を与えないようにするため洗浄に用いる洗浄水を適切な温度に調整する加熱装置が備えられている。このような加熱装置には、主に貯湯式加熱装置または瞬間式加熱装置がある。
【０００３】
貯湯式加熱装置は、予め所定量の洗浄水を貯えるとともに内蔵した加熱ヒータにより洗浄水を所定の温度に加熱する温水タンクを備え、人体の局部を洗浄する際に、予め温水タンク内で所定の温度に加熱した洗浄水を水道圧を利用するかもしくはポンプ等により圧送してノズルより噴出させる方法を採用している。
【０００４】
この貯湯式加熱装置においては、人体の局部を洗浄する際まで、予め温水タンク内の洗浄水を所定の温度に維持し続けなければならない。そのため、加熱ヒータに常時電力を供給する必要があることから消費電力が大きくなる。また、複数の人が連続して局部を洗浄し、予め温水タンク内で所定の温度に加熱した洗浄水の量以上を使用した際、温水タンク内の洗浄水の温度が所定の温度以下に低下して人体に不快感を与えてしまう。
【０００５】
一方、瞬間式加熱装置は、人体の局部を洗浄する際に、洗浄水を昇温速度に優れたセラミックヒータ等の加熱ヒータにより所定の温度に加熱し、水道圧を利用するかもしくはポンプ等により圧送してノズルより噴出させる方法を採用している。
【０００６】
そのため、瞬間式加熱装置においては、予め洗浄水を所定の温度に維持し続ける必要がなく、使用時のみ加熱ヒータに電力を供給すればよいので消費電力を抑制することができる。また、長時間の洗浄や、トイレの連続使用等により多量の洗浄水を人体の局部の洗浄に用いた際でも、洗浄水の温度が所定の温度以下に低下して人体に不快感を与えることを防止することができる。
【０００７】
【発明が解決しようとする課題】
しかし、瞬間式加熱装置を用いた衛生洗浄装置では、冬季など水温が低い場合、一般家庭のコンセントの容量の上限から洗浄水の温度を所定の温度に加熱する能力が不足する。例えば、人体の洗浄に適した洗浄水の温度は、約４０℃であるが、一般家庭のコンセント容量（１５Ａ）で０℃近い水温を４０℃まで昇温させるためには、加熱ヒータに供給する洗浄水の流量を０．５Ｌ／分にする必要がある。しかし、この流量は、一般的な貯湯式加熱装置を用いた衛生洗浄装置の流量の半分以下である。その結果、使用者は、所望の洗浄感および洗浄力を得ることができず、不快感を感じることがあった。
【０００８】
そこで、洗浄水に周期的な圧力変動を与えつつノズルから噴出させる衛生洗浄装置が提案されている。
【０００９】
それにより、ノズルから噴出される洗浄水の洗浄力が高まり、人体に不快感を与えることが防止される。
【００１０】
しかしながら、洗浄水に周期的な圧力変動を与えることにより洗浄力および洗浄感を高めた衛生洗浄装置においても、ポンプまたは配管内に空気が残留していると、洗浄水に与えられる圧力変動が減衰し、所望の洗浄力および洗浄感が得られない場合がある。
【００１１】
本発明の目的は、洗浄水に与える圧力変動の減衰を防止することにより、安定した洗浄力および洗浄感を有する洗浄水を噴出することが可能な衛生洗浄装置を提供することである。
【００１２】
【課題を解決するための手段】
第１の発明に係る衛生洗浄装置は、給水源から供給される洗浄水を噴出する衛生洗浄装置であって、洗浄水を噴出する複数のノズルを含む噴出手段と、給水源から供給される洗浄水に周期的な圧力変動を与えつつ洗浄水を加圧して噴出手段から噴出させる洗浄動作を行う加圧手段と、複数のノズルのうち洗浄動作を行うノズルを設定する設定手段と、設定手段の設定に基づいて加圧手段と複数のノズルとの間を選択的に連通させる流路切替手段と、洗浄動作の開始を指示する指示手段と、指示手段の指示に応答して加圧手段に滞留空気の排出動作をさせた後、洗浄動作へ移行させる制御手段とを備え、制御手段は、排出動作時に、加圧手段と設定手段により設定されたノズル以外のノズルとが連通するように流路切替手段を切り替え、排出動作後に、加圧手段と設定手段により設定されたノズルとが連通するように流路切替手段を切り替えるものである。
【００１３】
本発明に係る衛生洗浄装置においては、指示手段による洗浄動作の開始の指示に応答して、制御手段が加圧手段に滞留空気の排出動作をさせる。これにより、給水源から供給された洗浄水が加圧手段により周期的な圧力変動を与えられつつ加圧され、洗浄水中の滞留空気とともに噴出手段から排出される。その後、制御手段が加圧手段を排出動作から洗浄動作へ移行させることにより、洗浄水が噴出手段から噴出される。
【００１４】
したがって、洗浄水に与える圧力変動が滞留空気により減衰することを防止することができ、安定した洗浄力および洗浄感を有する洗浄水を噴出手段から噴出することが可能となる。
また、排出動作時において、加圧手段と洗浄動作を行うノズル以外のノズルとが流路切替手段により連通され、洗浄動作を行うノズルに設定された以外のノズルから滞留空気が排出される。さらに、排出動作後に加圧手段と洗浄動作を行うノズルとが流路切替手段により連通され、洗浄動作を行うノズルから洗浄水が噴出される。
それにより、洗浄動作を行うノズルに滞留空気が流入することがなくなり、洗浄水に与える圧力変動の減衰が防止される。その結果、洗浄動作を行うノズルから安定した洗浄感および洗浄力を有する洗浄水を噴出することが可能となる。
【００１５】
第２の発明に係る衛生洗浄装置は、第１の発明に係る衛生洗浄装置の構成において、加圧手段は、洗浄動作時よりも低い流速で噴出手段に洗浄水を供給することにより排出動作を行うものである。
【００１６】
この場合、滞留空気の排出動作時において、洗浄水が加圧手段により洗浄動作時よりも低い流速で噴出手段に供給される。これにより、洗浄水の流路内の断面積変化部に流れの渦が生じない。したがって、流路内に滞留した空気を確実に効率よく噴出手段から排出することができる。
【００１７】
第３の発明に係る衛生洗浄装置は、第１または第２の発明に係る衛生洗浄装置の構成において、加圧手段は、洗浄動作時よりも低い圧力で噴出手段に洗浄水を供給することにより排出動作を行うものである。
【００１８】
この場合、加圧手段の上流側が突発的に負圧になることが回避されるので、流路の連結部等から流路内へ空気が流入することを防止することができるとともに、流路の破損等の不具合を防止することが可能となる。
【００１９】
第４の発明に係る衛生洗浄装置は、第３の発明に係る衛生洗浄装置の構成において、加圧手段は、洗浄水を加圧する圧力を時間経過とともに増加させるものである。
【００２０】
この場合、洗浄水の圧力が時間経過とともに増加するので、滞留空気が短時間で噴出手段から排出される。これにより、滞留空気の排出動作から洗浄動作への移行を短時間で円滑に行うことが可能となる。
【００２１】
第５の発明に係る衛生洗浄装置は、第１〜第４のいずれかの発明に係る衛生洗浄装置の構成において、時間の経過を計測する計時手段をさらに備え、制御手段は、計時手段により計測された時間に基づいて加圧手段による排出動作を終了させ、洗浄動作へ移行させるものである。
【００２２】
この場合、常に一定時間の排出動作の後に洗浄動作を行うことができる。
第６の発明に係る衛生洗浄装置は、第５の発明に係る衛生洗浄装置の構成において、制御手段は、計時手段により計測された時間が所定時間を経過したとき加圧手段による排出動作を終了させ、所定時間は、給水源から供給された洗浄水が噴出手段から排出までに要する時間以上に設定されるものである。
【００２３】
この場合、給水源から噴出手段までの流路内に滞留した空気および洗浄水が確実に噴出手段から排出される。
【００２４】
第７の発明に係る衛生洗浄装置は、第１〜第６のいずれかの発明に係る衛生洗浄装置の構成において、供給源から供給される洗浄水を流動させつつ加熱する加熱手段をさらに備えたものである。
【００２５】
この場合、供給源から供給される洗浄水が流動しつつ加熱手段により加熱されることにより、瞬間的に洗浄水が加熱される。このとき、常温の洗浄水が極短時間に温度上昇することで洗浄水中の溶存空気が気泡となって出現する。このような場合においても、加熱される洗浄水が常に流動しているので、出現した気泡は、対流することなく洗浄水の流れに乗って排出される。
【００２６】
第８の発明に係る衛生洗浄装置は、第１〜第７のいずれかの発明に係る衛生洗浄装置の構成において、加熱手段により加熱された洗浄水の温度を検知する温度検知手段をさらに備え、制御手段は、温度検知手段により検知された温度に基づいて加圧手段の排出動作を終了させ、洗浄動作へ移行させるものである。
【００２７】
この場合、加熱手段により加熱された洗浄水の温度が温度検知手段により検知される。検知された温度に基いて制御手段により加圧手段の排出動作が終了されるとともに、洗浄動作へ移行される。それにより、加熱手段により加熱される洗浄水の温度が所定の温度に達するまで滞留空気の排出動作が継続される。その結果、加熱手段による洗浄水の加熱開始時に発生する気泡を確実に排出することができる。
【００３１】
第９の発明に係る衛生洗浄装置は、第１〜８のいずれかの発明に係る衛生洗浄装置の構成において、複数のノズルは、人体洗浄に用いられる第１のノズルと、人体洗浄以外に用いられる第２のノズルとを含み、制御手段は、設定手段により第１のノズルが設定された場合に、排出動作時に、加圧手段と第２のノズルとが連通するように流路切替手段を切り替え、排出動作後に、加圧手段と第１のノズルとが連通するように流路切替手段を切り替えるものである。
【００３２】
この場合、排出動作時において加圧手段と人体洗浄以外に用いられる第２のノズルとが連通するように流路切替手段が切り替えられ、第２のノズルから滞留空気が排出される。排出動作後、加圧手段と人体洗浄に用いられる第１のノズルとが連通するように流路切替手段が切り替えられ、洗浄水が第１のノズルから噴出される。
【００３３】
それにより、人体洗浄に用いられる第１のノズルに滞留空気が流入することがなくなり、洗浄水に与える圧力変動の減衰が防止される。その結果、人体洗浄に用いられる第１のノズルから安定した洗浄力および洗浄感を有する洗浄水を噴出することが可能となる。
【００３４】
第１０の発明に係る衛生洗浄装置は、第９の発明に係る衛生洗浄装置の構成において、噴出手段は、加圧手段から第１のノズルに洗浄水を供給する第１の流路と、加圧手段から第２のノズルに洗浄水を供給する第２の流路とをさらに含み、第２の流路は、第１の流路よりも低い圧力損失を有するものである。
【００３５】
この場合、排出動作において、洗浄水は第１の流路よりも低い圧力損失を有する第２の流路に供給され、滞留空気とともに第２のノズルから排出される。これにより、滞留空気を洗浄水とともに第２の流路内を円滑に移動させることができ、第２のノズルから確実に排出することが可能となる。
【００３６】
第１１の発明に係る衛生洗浄装置は、第９または第１０の発明に係る衛生洗浄装置の構成において、制御手段は、複数のノズルのうち一のノズルによる洗浄動作中に設定手段により他のノズルが設定された場合に、加圧手段に再度滞留空気の排出動作をさせた後に、加圧手段と設定手段により設定された他のノズルとが連通するように流路切替手段を切り替えるものである。
【００３７】
この場合、一のノズルによる洗浄動作中に空気が流路内に徐々に蓄積される。このような状態でノズルが切り替えられた場合にも、他のノズルによる洗浄動作の前に滞留空気の排出動作が行われることにより、流路内の滞留空気が確実に排出される。
【００３８】
第１２の発明に係る衛生洗浄装置は、第１〜第１１のいずれかの発明に係る衛生洗浄装置の構成において、加圧手段と噴出手段との間の流路内の圧力が所定値を越えた場合に、加圧手段と噴出手段との間の流路を開放する流路開放手段をさらに備えたものである。
【００３９】
この場合、加圧手段の下流側の圧力が異常に上昇した場合に、流路開放手段により流路が開放される。それにより、加圧手段と噴出手段との間の流路における損傷が防止される。
【００４０】
第１３の発明に係る衛生洗浄装置は、第１〜第１２のいずれかの発明に係る衛生洗浄装置の構成において、噴出手段は、加圧手段から供給された洗浄水を収容するシリンダ部と、シリンダ部内に移動可能に挿入されるとともにシリンダ部から突出可能に設けられたピストン部とを含み、ピストン部の外周面とシリンダ部の内周面との間に所定の隙間が設けられたものである。
【００４１】
この場合、空気は水に比べて粘性が低いため、シリンダ部からピストン部が突出する際に、滞留空気がシリンダ部とピストン部との間に設けられた所定の隙間から排出される。これにより、噴出手段に空気が滞留することを防止することが可能となる。
【００４２】
【発明の実施の形態】
以下、本発明の実施の形態に係る衛生洗浄装置について説明する。
【００４３】
図１は本発明の一実施の形態に係る衛生洗浄装置を便器に装着した状態を示す斜視図である。
【００４４】
図１に示すように、便器６００上に衛生洗浄装置１００が装着される。タンク７００は、水道配管に接続されており、便器６００内に洗浄水を供給する。
【００４５】
衛生洗浄装置１００は、本体部２００、遠隔操作装置３００、便座部４００および蓋部５００により構成される。
【００４６】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００４７】
図２は図１の遠隔操作装置３００の一例を示す模式図である。
図２に示すように、遠隔操作装置３００は、複数のＬＥＤ（発光ダイオード）３０１および複数の操作スイッチ８００を備える。複数の操作スイッチ８００は、複数の調整スイッチ３０２ａ〜３０２ｆ、おしりスイッチ３０３、刺激スイッチ３０４、停止スイッチ３０５、ビデスイッチ３０６、乾燥スイッチ３０７および脱臭スイッチ３０８からなる。
【００４８】
使用者により調整スイッチ３０２ａ〜３０２ｆ、おしりスイッチ３０３、刺激スイッチ３０４、停止スイッチ３０５、ビデスイッチ３０６、乾燥スイッチ３０７および脱臭スイッチ３０８が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００４９】
例えば、使用者が、おしりスイッチ３０３またはビデスイッチ３０６を押下操作することにより図１の本体部２００のノズル部３０が移動して洗浄水が噴出する。刺激スイッチ３０４を押下操作することにより図１の本体部２００のノズル部３０から人体の局部に刺激を与える洗浄水が噴出される。停止スイッチ３０５を押下操作することによりノズル部３０からの洗浄水の噴出が停止する。
【００５０】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００５１】
使用者が、調整スイッチ３０２ａ，３０２ｂを押下操作することにより、図１の衛生洗浄装置１００の本体部２００のノズル部３０の位置が変化し、調整スイッチ３０２ｃ，３０２ｄを押下することにより、ノズル部３０より噴出される洗浄水の温度が変化し、調整スイッチ３０２ｅ，３０２ｆを押下操作することにより、ノズル部３０より噴出される洗浄水の水勢（圧力）が変化する。また、調整スイッチ３０２の押下に伴って複数のＬＥＤ（発光ダイオード）３０１が点灯する。
【００５２】
以下、本発明の一実施の形態に係る衛生洗浄装置１００の本体部２００について説明を行う。図３は本発明の一実施の形態に係る衛生洗浄装置１００の本体部２００の構成を示す模式図である。
【００５３】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２およびノズル洗浄用ノズル３を含む。
【００５４】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００５５】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５６】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５７】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００５８】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。
【００５９】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３および切替弁１４に対して制御信号を与える。
【００６０】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。例えば、切替弁１４が誤動作し、熱交換機１１より与えられた洗浄水の流路が遮断され、ポンプ１３の下流側の圧力が上昇した場合、リリーフ弁２０６が開成する。
【００６１】
一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００６２】
図４は熱交換器１１の構造の一例を示す一部切り欠き断面図である。
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００６３】
図３の制御部４は、温度センサ１２ｂより与えられる温度測定値に基いて、熱交換器１１のセラミックヒータ５０５の温度をフィードバック制御する。
【００６４】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００６５】
図５はポンプ１３の構造の一例を示す断面図である。図５のポンプは複動型レシプロポンプである。
【００６６】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００６７】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００６８】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００６９】
ポンプ室１３９ａは、小室Ｓ５、小室Ｓ７および内部流路Ｐ３を介して洗浄水出口ＰＯに連通している。ポンプ室１３９ｂは、小室Ｓ６、小室Ｓ８および内部流路Ｐ４を介して洗浄水出口ＰＯに連通している。
【００７０】
小室Ｓ３、小室Ｓ４、小室Ｓ７および小室Ｓ８には、それぞれアンブレラパッキン１３７が設けられている。
【００７１】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００７２】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００７３】
図６はアンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【００７４】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００７５】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００７６】
図７は図５のポンプ１３の圧力変化を示す図である。図７の縦軸は圧力を示し、横軸は時間を示す。
【００７７】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【００７８】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【００７９】
図８は、設定された水勢の違いによるポンプ１３の圧力変化を示す図である。図８の縦軸はポンプ１３の吐出圧力を示し、横軸は時間を示す。
【００８０】
図８（ａ）は、使用者が図２の調整スイッチ３０２ｅを押下し、水勢を「強」に設定した場合のポンプ１３の吐出圧力を示す図である。この場合、制御部４はポンプ１３のモータ１３０の回転数を大きくする。これにより、図６の圧送ピストン１３６の上下方向の運動周期が短くなる。その結果、ポンプ１３の吐出圧力の変動周波数が高くなる。また、吐出圧力の変動中心Ｐｏが高くなり、かつ、吐出圧力の変動幅が大きくなる。
【００８１】
また、図８（ｂ）は、使用者が図２の調整スイッチ３０２ｅまたは３０２ｆをを押下し、水勢を「中」に設定した場合のポンプ１３の吐出圧力を示す図である。この場合、制御部４はモータ１３０の回転数を中程度にする。これにより、図６の圧送ピストン１３６の上下方向の運動周期が中程度となる。その結果、ポンプ１３の吐出圧力の変動周波数が中程度となる。また、吐出圧力の変動中心Ｐｏが中程度となり、かつ、吐出圧力の変動幅が中程度となる。
【００８２】
さらに、図８（ｃ）は、使用者が図２の調整スイッチ３０２ｆを押下し、水勢を「弱」に設定した場合のポンプ１３の吐出圧力を示す図である。この場合、制御部４はモータ１３０の回転数を小さくする。これにより、図６の圧送ピストン１３６の上下方向の運動周期が長くなる。その結果、ポンプ１３の吐出圧力の変動中心Ｐｏが低くなり、かつ、吐出圧力の変動幅が小さくなる。
【００８３】
このように、本実施の形態の衛生洗浄装置では、洗浄水に周期的な圧力変動を与えることにより、洗浄力および洗浄感を高めることができる。
【００８４】
図９（ａ）は切替弁１４の縦断面図であり、図９（ｂ）は図９（ａ）の切替弁１４のＡ−Ａ線断面図であり、図９（ｃ）は図９（ａ）の切替弁１４のＢ−Ｂ線断面図である。
【００８５】
図９に示す切替弁１４は、モータ１４１、内筒１４２および外筒１４３により構成される。
【００８６】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００８７】
図９（ａ），（ｂ），（ｃ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられている。内筒１４２の互いに異なる位置に孔１４２ｅ，１４２ｆが設けられている。孔１４２ｅの周辺には、図９（ｂ）に示すように、面取り部が形成されている。内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっている。
【００８８】
洗浄水入口１４３ａには、図３の配管２０３が接続され、洗浄水出口１４３ｂには、おしりノズル１が接続され、洗浄水出口１４３ｃには、ビデノズル２が接続され、洗浄水出口１４３ｄには、ノズル洗浄用ノズル３が接続されている。
【００８９】
図１０は図９の切替弁１４の動作を示す断面図である。
図１０（ａ）に示すように、モータ１４１が回転せず、内筒１４２の孔１４２ｅが外筒１４３の洗浄水出口１４３ｄと同じ側にある場合、内筒１４２の孔１４２ｅが外筒１４３の洗浄水出口１４３ｂ，１４３ｃのいずれにも対向せず、かつ内筒１４２の孔１４２ｆが外筒１４３の洗浄水出口１４３ｄに対向しない。したがって、洗浄水が洗浄水出口１４３ｂ，１４３ｃ，１４３ｄのいずれからも流出しない。
【００９０】
また、図１０（ｂ）に示すように、モータ１４１が内筒１４２を９０度回転させた場合には、内筒１４２の孔１４２ｅが外筒１４３の洗浄水出口１４３ｂに対向する。したがって、洗浄水が洗浄水入口１４３ａより内筒１４２の内部を通過して、矢印Ｗ２で示すように洗浄水出口１４３ｂから流出する。
【００９１】
さらに、モータ１４１が内筒１４２を２７０度回転させた場合には、内筒１４２の孔１４２ｅが外筒１４３の洗浄水出口１４３ｃに対向する。したがって、洗浄水が洗浄水入口１４３ａより内筒１４２の内部を通過して洗浄水出口１４３ｃから流出する。
【００９２】
また、モータ１４１が内筒１４２を１８０度回転させた場合には、内筒１４２の孔１４２ｆが外筒１４３の洗浄水出口１４３ｄに対向する。したがって、洗浄水が洗浄水入口１４３ａより内筒１４２の内部を通過して洗浄水出口１４３ｄから流出する。
【００９３】
以上のように、制御部４からの制御信号に基いてモータ１４１が回転することにより内筒１４２の孔１４２ｅ，１４２ｆのいずれかが外筒１４３の洗浄水出口１４３ｂ〜１４３ｄのいずれかに対向した場合には洗浄水が流出し、内筒１４２の孔１４２ｅ，１４２ｆのいずれもが外筒１４３の洗浄水出口１４３ｂ〜１４３ｄのいずれにも対向しない場合には洗浄水が流出しない。
【００９４】
次に、図３のノズル部３０のおしりノズル１について説明する。図１１は図３のノズル部３０のおしりノズル１の断面図である。なお、図３のノズル部３０のビデノズル２の構成および動作は図１１のおしりノズル１と同様である。
【００９５】
図１１に示すように、おしりノズル１は、円筒状のピストン部２０、円筒状のシリンダ部２１、シールパッキン２２およびスプリング２３により構成される。
【００９６】
ピストン部２０の先端近傍には、洗浄水を噴出するための噴出孔２５が形成されている。ピストン部２０の後端には、フランジ形状のストッパ部２６が設けられている。また、ストッパ部２６には、シールパッキン２２が装着されている。ピストン部２０の内部には、後端面から噴出孔２５に連通する流路２７が形成されている。
【００９７】
一方、シリンダ部２１は、先端側の径小部分と後端側の径大部分とからなる。それにより、径小部分と径大部分との間に、ストッパ部２６がシールパッキン２２を介して当接可能なストッパ面２１ｂが形成されている。シリンダ部２１の後端面には、洗浄水入口２４が設けられ、シリンダ部２１の先端面には、開口部２１ａが設けられている。シリンダ部２１の内部空間が温度変動緩衝部２８となる。洗浄水入口２４は、シリンダ部２１の中心軸とは異なる位置に偏心して設けられている。洗浄水入口２４は、図３の切替弁１４の洗浄水出口１４３ｂに接続されている。
【００９８】
ピストン部２０は、ストッパ部２６が温度変動緩衝部２８内に位置し、先端部が開口部２１ａから突出するように、シリンダ部２１内に移動可能に挿入されている。
【００９９】
さらに、スプリング２３は、ピストン部２０のストッパ部２６とシリンダ部２１の開口部２１ａの周縁との間に配設されており、ピストン部２０をシリンダ部２１の後端側に付勢する。
【０１００】
ピストン部２０のストッパ部２６の外周面とシリンダ部２１の内周面との間に微小隙間が形成され、ピストン部２０の外周面とシリンダ部２１の開口部２１ａの内周面との間に微小隙間が形成されている。
【０１０１】
次いで、図１１のおしりノズル１の動作について説明する。図１２は図１１のおしりノズル１の動作を説明するための断面図である。
【０１０２】
まず、図１２（ａ）に示すように、シリンダ部２１の洗浄水入口２４より洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１０３】
次いで、図１２（ｂ）に示すように、シリンダ部２１の洗浄水入口２４より洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１０４】
洗浄水入口２４がシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６の外周面とシリンダ部２１の内周面との間の微小隙間を通して、ピストン部２０の外周面とシリンダ部２１の開口部２１ａの内周面との間の微小隙間から流れ出るとともに、ピストン部２０の流路２７を通して噴出孔２５から噴出される。
【０１０５】
ピストン部２０がさらに前進すると、図１２（ｃ）に示すように、ストッパ部２６がシールパッキン２２を介してシリンダ部２１のストッパ面２１ｂに水密に接触する。それにより、ピストン部２０のストッパ部２６の外周面とシリンダ部２１の内周面との間の微小隙間からピストン部２０の外周面とシリンダ部２１の開口部２１ａの内周面との間の微小隙間に至る流路が遮断される。したがって、温度変動緩衝部２８の洗浄水が、ピストン部２０内の流路２７を通して噴出孔２５のみから噴出される。
【０１０６】
上記のように、図３の熱交換器１１から供給される洗浄水がシリンダ部２１内の温度変動緩衝部２８内に貯えられた後に、ピストン部２０の流路２７を通して噴出孔２５から噴出されるので、温度変動緩衝部２８内で洗浄水の温度変動が緩衝される。それにより、噴出孔２５から噴出される洗浄水の温度変動が平滑化されて急激な温度変動が抑制される。
【０１０７】
特に、洗浄水入口２４がシリンダ部２１の中心軸に対して偏心した位置に設けられているので、温度変動緩衝部２８内で洗浄水が渦巻き状に還流する。それにより、洗浄水の温度変動が効果的に緩衝される。したがって、温度変動緩衝部２８の容積が小さい場合でも、洗浄水の温度変動の高い緩衝効果が得られる。
【０１０８】
図１３は、衛生洗浄装置の流路内の滞留空気の有無によるポンプ１３の吐出圧力の違いを示す図である。図１３（ａ）は、流路内に空気が滞留していない場合におけるポンプ１３の吐出圧力を示し、図１３（ｂ）は、流路内に空気が滞留している場合におけるポンプ１３の吐出圧力を示す。
【０１０９】
ここで、流路とは、配管２０２，２０３、熱交換機１１およびポンプ１３を含む。
【０１１０】
図１３（ａ）、（ｂ）に示すように、ポンプ１３の吐出圧力の変動中心Ｐｏ（平均圧力）が同じであっても、流路内に空気が滞留している場合においては、流路内に空気が滞留していない場合にくらべて、吐出圧力の変動幅が小さくなる。
【０１１１】
図１４は、時間の経過に伴うポンプ１３の吐出圧力の変化を示す図である。図１４において、横軸は洗浄処理開始からの時間の経過を示す。例えば、Ｔ１は、洗浄処理開始から１０秒後であり、Ｔ２は、洗浄処理開始から３０秒後、Ｔ３は、洗浄処理開始から６０秒後である。
【０１１２】
図１４に示すように、洗浄処理を開始からの時間の経過に伴い、ポンプ１３の吐出圧力の変動幅が小さくなる。これは、熱交換器１１により常温の洗浄水が加熱されることにより洗浄水中に溶存する空気が気泡となって出現し、洗浄処理の時間の経過とともに流路中に滞留するためである。
【０１１３】
本実施の形態における衛生洗浄装置では、後述する滞留空気の排出動作により、流路内の滞留空気が排出される。
【０１１４】
図１５は、衛生洗浄装置の流路内に滞留した気泡の移動を示す図である。
流路内の気泡は流路内の断面積変化部に滞留しやすい。例えば、図１５（ａ），（ｂ）に示すように、気泡Ｂは、流路１５０，１５１の断面積変化部１５に滞留する確率が高い。断面積変化部１５は、例えば、切替弁１４の洗浄水入り口１４３ａとシリコンホースとの接続部である。
【０１１５】
図１５（ａ）に示すように、流路１５０，１５１内を流れる洗浄水Ｗの流速が低い場合（流量が少ない場合）、気泡Ｂは断面積変化部１５に滞留することなく流路１５０，１５１の内壁に沿って下流へと洗浄水とともに流出する。
【０１１６】
一方、図１５（ｂ）に示すように、流路１５０，１５１内を流れる洗浄水Ｗの流速が高い場合（流量が多い場合）、断面積変化部１５において洗浄水の流れに渦が生じる。そのため、断面積変化部１５に滞留した気泡Ｂは下流へと洗浄水とともに流出することができず、断面積変化部１５に滞留し続ける。
【０１１７】
したがって、後述するように、ポンプ１３の回転数を小さくして吐出圧力を低くすることにより、洗浄水の流速（流量）を低下させた場合、流路内の滞留空気を排出することが可能となる。
【０１１８】
図１６は、本発明の実施の形態における衛生洗浄装置の動作を示すフローチャートである。図１、図２、図３および図１６を用いて衛生洗浄装置の動作を説明する。
【０１１９】
衛生洗浄装置１００の本体部２００の制御部４は、遠隔操作装置３００の操作スイッチ８００が押下されたか否かを判別する（ステップＳ１）。操作スイッチ８００が押下された場合、制御部４は、押下された操作スイッチ８００がおしりスイッチ３０３であるか否かを判別する（ステップＳ２）。おしりスイッチ３０３が押下された場合、おしり洗浄処理を行う（ステップＳ３）。おしり洗浄処理における衛生洗浄装置１００の詳細な動作については後述する。
【０１２０】
おしり洗浄処理開始後、制御部４は、停止スイッチ３０５が押下されたか否かを判別する（ステップＳ４）。停止スイッチ３０５が押下された場合、制御部４は、おしり洗浄処理を停止する（ステップＳ５）。
【０１２１】
また、ステップＳ２において、押下された操作スイッチ８００がおしりスイッチ３０３でない場合、制御部４は、ビデスイッチ３０６が押下されたか否かを判別する（ステップＳ６）。ビデスイッチ３０６が押下された場合、ビデ洗浄処理を行う（ステップＳ７）。ビデ洗浄処理における衛生洗浄装置１００の詳細な動作については後述する。
【０１２２】
ビデ洗浄処理開始後、制御部４は、停止スイッチ３０５が押下されたか否かを判別する（ステップＳ８）。停止スイッチ３０５が押下された場合、制御部４は、ビデ洗浄処理を停止する（ステップＳ５）。
【０１２３】
なお、ステップＳ５において、押下された操作スイッチ８００がビデスイッチ３０６でない場合、他の処理を行う（ステップＳ９）。
【０１２４】
図１７は、図１６のおしり洗浄処理における衛生洗浄装置の詳細な動作の第１の例を示すフローチャートである。
【０１２５】
衛生洗浄装置１００の本体部２００の制御部４は、おしりスイッチ３０３が押下されると、切替弁１４をノズル洗浄ノズル３側に切り替える（ステップＳ３−１）。
【０１２６】
さらに、制御部４は、止水電磁弁９を開き、熱交換機１１に洗浄水を供給する（ステップＳ３−２）。次に、制御部４は、熱交換器１１をオンし、洗浄水の加熱を開始する（ステップＳ３−３）。
【０１２７】
次に、制御部４は、ポンプ１３を低速運転する（ステップＳ３−４）。それにより、止水電磁弁９から供給された洗浄水が低い流速で熱交換機１１からポンプ１３を経由してノズル洗浄ノズル３に流れる。その結果、流路内の滞留空気が洗浄水とともにノズル洗浄ノズル３の噴出孔から排出される。ステップＳ３−４の動作が滞留空気の排出動作に相当する。さらに、制御部４は、所定時間経過したか否かを判別する（ステップＳ３−５）。
【０１２８】
所定時間経過したことを判別すると、制御部４は、切替弁１４をおしりノズル１側に切り替える（ステップＳ３−６）。それにより、洗浄水がおしりノズル１に供給され、洗浄水の圧力によりおしりノズル１のピストン部２０がシリンダ部２１より突出する。その後、制御部４は、ポンプ１３を通常速度で運転する（ステップＳ３−７）。この場合、制御部は、使用者が調整スイッチ３０２ａ，３０２ｂにより設定した水勢に応じた回転数でポンプ１３を運転する。それにより、おしりノズル１の噴出孔２５から洗浄水が噴出し、おしり洗浄が行われる。ステップＳ３−７の動作が、洗浄動作に相当する。
【０１２９】
なお、ステップＳ３−５における所定時間は、止水電磁弁９からノズル洗浄ノズル３までの洗浄水がすべて入れ替わるように設定することが好ましい。例えば、止水電磁弁９からノズル洗浄ノズル３の噴出孔の洗浄水の流路の容積が２０ｃｃであり、洗浄水の流量が毎分２５０ｃｃである場合、約４．８秒で上記流路の洗浄水がすべて入れ替わる。したがって、この場合における所定時間は、５秒とすることが望ましい。
【０１３０】
以上のように、ポンプ１３を通常速度で運転する前に低速度で運転することにより、衛生洗浄装置１００の止水電磁弁９からノズル洗浄ノズル３の噴出孔までの流路に滞留している空気および洗浄水がノズル洗浄ノズル３から排出される。
【０１３１】
その結果、ポンプ１３の吐出圧力の変動幅の減衰が防止され、おしりノズル１から安定した洗浄力および洗浄感を有する洗浄水を噴出することができる。
【０１３２】
また、衛生洗浄装置１００の流路内に滞留している洗浄水をノズル洗浄ノズルから排出することにより、使用開始時に低温となった洗浄水が噴出されることが防止される。
【０１３３】
さらに、おしり洗浄処理の後に続けてビデ洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、ポンプ１３の吐出圧力の変動幅の減衰が防止される。
【０１３４】
その結果、洗浄処理を連続的に行う場合おいても、おしりノズル１およびビデノズル２から安定した洗浄力および洗浄感を有する洗浄水を噴出することができる。
【０１３５】
図１８は、図１６のおしり洗浄処理における衛生洗浄装置の詳細な動作の第２の例を示すフローチャートである。
【０１３６】
衛生洗浄装置１００の本体部２００の制御部４は、おしりスイッチ３０３が押下されると、切替弁１４をノズル洗浄ノズル３側に切り替える（ステップＳ３−１０）。
【０１３７】
さらに、制御部４は、止水電磁弁９を開き、熱交換器１１に浄水を供給する（ステップＳ３−１１）。次に、熱交換器１１をオンし、洗浄水の加熱を開始する（ステップＳ３−１２）。
【０１３８】
次に、制御部４は、ポンプ１３を低速運転する（ステップＳ３−１３）。それにより、止水電磁弁９から供給された洗浄水が低い流速で熱交換器１１からポンプ１３を経由してノズル洗浄ノズル３に流れる。ステップＳ３−１３の動作が滞留空気の排出動作に相当する。その結果、流路内の滞留空気が洗浄水とともにノズル洗浄ノズル３の噴出孔から排出される。
【０１３９】
さらに、制御部４は、ポンプ１３の回転数を増加させる（ステップＳ３−１４）。これにより、熱交換器１１へ流入する洗浄水の流量が増加する。
【０１４０】
次に、制御部４は、所定時間が経過したか否かを判別する（ステップＳ３−１５）。所定時間経過したことを判別すると、制御部４は、切替弁１４をおしりノズル１側に切り替える（ステップＳ３−１６）。それにより、洗浄水がおしりノズル１に供給され、洗浄水の圧力によりおしりノズル１のピストン部２０がシリンダ部２１より突出する。
【０１４１】
その後、制御部４は、ポンプ１３を通常速度で運転する（ステップＳ３−１７）。この場合、制御部４は、使用者が、調整スイッチ３０２ａ，３０２ｂにより設定した水勢に応じた回転数でポンプ１３を運転する。それにより、おしりノズル１の噴出孔２５から洗浄水が噴出し、おしり洗浄が行われる。ステップＳ３−１７の動作が洗浄動作に相当する。
【０１４２】
なお、ステップＳ３−１４において、ポンプ１３の回転数を連続的または段階的に増加させ、熱交換機１１へ流入する洗浄水の流量を増加させることにより、止水電磁弁９からノズル洗浄ノズル３の噴出孔までの洗浄水を短時間ですべて入れ替えることが可能となる。例えば、止水電磁弁９からノズル洗浄ノズル１の噴出孔までの洗浄水の流路の容積が２０ｃｃであり、流入開始時の洗浄水の流量が毎分２５０ｃｃの洗浄水である場合、ポンプ１３の回転数を除々に増加させ、洗浄水の流量を４５０ｃｃとすると、約３．５秒で上記流路の洗浄水をすべて入れ替えることが可能となる。
【０１４３】
それにより、衛生洗浄装置１００の流路内に滞留している空気および洗浄水を短時間でノズル洗浄ノズル３から排出することができる。その結果、ポンプ１３の吐出圧力の変動幅の減衰が防止され、おしりノズル１から安定した洗浄力および洗浄感を有する洗浄水を効率良く噴出することができる。
【０１４４】
また、衛生洗浄装置１００の流路内に滞留している洗浄水をノズル洗浄ノズルから排出することにより、使用開始時に低温となった洗浄水が噴出されることが防止される。
【０１４５】
さらに、おしり洗浄処理の後に続けてビデ洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、吐出圧力の変動幅の減衰が防止される。
【０１４６】
その結果、洗浄処理を連続的に行う場合おいても、おしりノズル１およびビデノズル２から安定した洗浄力および洗浄感を有する洗浄水を噴出することができる。
【０１４７】
図１９は、図１６のおしり洗浄処理における衛生洗浄装置の詳細な動作の第３の例を示すフローチャートである。
【０１４８】
衛生洗浄装置１００の本体部２００の制御部４は、おしりスイッチ３０３が押下されると、切替弁１４をノズル洗浄ノズル３側に切り替える（ステップＳ３−２０）。
【０１４９】
さらに、制御部４は、止水電磁弁９を開き、熱交換機１１に洗浄水を供給する（ステップＳ３−２１）。次に、制御部４は、熱交換器１１をオンし、洗浄水の加熱を開始する（ステップＳ３−２２）。
【０１５０】
次に、制御部４は、ポンプ１３を低速運転する（ステップＳ３−２３）。それにより、止水電磁弁９から供給される洗浄水が低い流速で熱交換器１１からポンプ１３を経由してノズル洗浄ノズル３に流れる。その結果、流路内の滞留空気が洗浄水とともにノズル洗浄ノズル３の噴出孔から排出される。ステップＳ３−２３の動作が滞留空気の排出動作に相当する。さらに、温度センサ１２ｂにより、洗浄水の温度が所定温度に達したか否かを判別する（ステップＳ３−２４）。
【０１５１】
洗浄水の温度が所定温度に達したことを判別すると、制御部４は、切替弁１４をおしりノズル１側に切り替える（ステップＳ３−２５）。それにより、洗浄水がおしりノズル１に供給され、洗浄水の圧力によりおしりノズル１のピストン部２０がシリンダ部２１より突出する。その後、制御部４は、ポンプ１３を通常速度で運転する（ステップＳ３−２６）。この場合、制御部４は、使用者が調整スイッチ３０２ａ，３０２ｂ２より設定した水勢に応じた回転数でポンプ１３を運転する。それにより、おしりノズル１の噴出孔２５から洗浄水が噴出し、おしり洗浄が行われる。ステップＳ３−２６の動作が洗浄動作に相当する。
【０１５２】
なお、ステップＳ３−２５における所定温度とは、おしりノズル１の噴出孔２５から噴出される洗浄水の温度が使用者に不快感を与えない温度となるように設定することが好ましい。
【０１５３】
以上のように、ポンプ１３を通常速度で運転する前に低速度で運転することにより、衛生洗浄装置１００の止水電磁弁９からノズル洗浄ノズル３の噴出孔までの流路に滞留している空気および洗浄水がノズル洗浄ノズル３から排出される。
【０１５４】
その結果、ポンプ１３の吐出圧力の変動幅の減衰が防止され、おしりノズル１から安定した洗浄力および洗浄感を有する洗浄水を噴出することができる。
【０１５５】
また、衛生洗浄装置１００の流路内に滞留している洗浄水をノズル洗浄ノズルから排出することにより、使用開始時に低温となった洗浄水が噴出されることが防止される。
【０１５６】
さらに、おしり洗浄処理の後に続けてビデ洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、ポンプ１３の吐出圧力の変動幅の減衰が防止される。
【０１５７】
その結果、洗浄処理を連続的に行う場合おいても、おしりノズル１およびビデノズル２から安定した洗浄力および洗浄感を有する洗浄水を噴出することができる。
【０１５８】
なお、ステップＳ３−２４で洗浄水の温度が所定温度に達したか否かを判断する代わりに、洗浄水の温度の変化率が所定値以下（例えばほぼ一定）になったか否かを判別することにより滞留空気の排出動作を終了してもよい。
【０１５９】
図２０は、図１６のビデ洗浄処理における衛生洗浄装置の詳細な動作の第１の例を示すフローチャートである。
【０１６０】
衛生洗浄装置１００の本体部２００の制御部４は、ビデスイッチ３０６が押下されると、切替弁１４をノズル洗浄ノズル３側に切り替える（ステップＳ６−１）。
【０１６１】
さらに、制御部４は、止水電磁弁９を開き、熱交換機１１に洗浄水を供給する（ステップＳ６−２）。次に、制御部４は、熱交換器１１をオンし、洗浄水の加熱を開始する（ステップＳ６−３）。
【０１６２】
次に、制御部４は、ポンプ１３を低速運転する（ステップＳ６−４）。それにより、止水電磁弁９から供給された洗浄水が低い流速で熱交換機１１からポンプ１３を経由してノズル洗浄ノズル３に流れる。その結果、流路内の滞留空気が洗浄水とともにノズル洗浄ノズル３の噴出孔から排出される。ステップＳ６−４の動作が滞留空気の排出動作に相当する。さらに、制御部４は、所定時間経過したか否かを判別する（ステップＳ６−５）。
【０１６３】
所定時間経過したことを判別すると、制御部４は、切替弁１４をビデノズル２側に切り替える（ステップＳ６−６）。それにより、洗浄水がビデノズル２に供給され、洗浄水の圧力によりビデノズル２のピストン部がシリンダ部より突出する。その後、制御部４は、ポンプ１３を通常速度で運転する（ステップＳ６−７）。この場合、制御部は、使用者が調整スイッチ３０２ａ，３０２ｂにより設定した水勢に応じた回転数でポンプ１３を運転する。それにより、ビデノズル２の噴出孔から洗浄水が噴出し、ビデ洗浄が行われる。ステップＳ６−７の動作が洗浄動作に相当する。
【０１６４】
なお、ステップＳ６−５における所定時間は、止水電磁弁９からノズル洗浄ノズル３までの洗浄水がすべて入れ替わるように設定することが好ましい。例えば、止水電磁弁９からノズル洗浄ノズル３の噴出孔までの洗浄水の流路の容積が２０ｃｃであり、洗浄水の流量が毎分２５０ｃｃである場合、約４．８秒で上記流路の洗浄水がすべて入れ替わる。したがって、この場合における所定時間は、５秒とすることが望ましい。
【０１６５】
以上のように、ポンプ１３を通常速度で運転する前に低速度で運転することにより、衛生洗浄装置１００の止水電磁弁９からノズル洗浄ノズル３の噴出孔までの流路に滞留している空気および洗浄水がノズル洗浄ノズル３から排出される。
【０１６６】
その結果、ポンプ１３の吐出圧力の変動幅の減衰が防止され、ビデノズル２から安定した洗浄力および洗浄感を有する洗浄水を噴出することができる。
【０１６７】
また、衛生洗浄装置１００の流路内に滞留している洗浄水をノズル洗浄ノズルから排出することにより、使用開始時に低温となった洗浄水が噴出されることが防止される。
【０１６８】
さらに、ビデ洗浄処理の後に続けておしり洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、ポンプ１３の吐出圧力の変動幅の減衰が防止される。
【０１６９】
その結果、洗浄処理を連続的に行う場合おいても、おしりノズル１およびビデノズル２から安定した洗浄力および洗浄感を有する洗浄水を噴出することができる。
【０１７０】
図１８は、図１６のビデ洗浄処理における衛生洗浄装置の詳細な動作の第２の例を示すフローチャートである。
【０１７１】
衛生洗浄装置１００の本体部２００の制御部４は、ビデスイッチ３０６が押下されると、切替弁１４をノズル洗浄ノズル３側に切り替える（ステップＳ６−１０）。
【０１７２】
さらに、制御部４は、止水電磁弁９を開き、熱交換器１１に浄水を供給する（ステップＳ６−１１）。次に、熱交換器１１をオンし、洗浄水の加熱を開始する（ステップＳ６−１２）。
【０１７３】
次に、制御部４は、ポンプ１３を低速運転する（ステップＳ６−１３）。それにより、止水電磁弁９から供給された洗浄水が低い流速で熱交換器１１からポンプ１３を経由してノズル洗浄ノズル３に流れる。その結果、流路内の滞留空気が洗浄水とともにノズル洗浄ノズル３の噴出孔から排出される。ステップＳ６−１３の動作が滞留空気の排出動作に相当する。
【０１７４】
さらに、制御部４は、ポンプ１３の回転数を増加させる（ステップＳ６−１４）。これにより、熱交換器１１へ流入する洗浄水の流量が増加する。
【０１７５】
次に、制御部４は、所定時間が経過したか否かを判別する（ステップＳ６−１５）。所定時間経過したことを判別すると、制御部４は、切替弁１４をビデノズル３側に切り替える（ステップＳ６−１６）。それにより、洗浄水がビデノズル２に供給され、洗浄水の圧力によりビデノズル２のピストン部がシリンダ部より突出する。
【０１７６】
その後、制御部４は、ポンプ１３を通常速度で運転する（ステップＳ６−１７）。この場合、制御部４は、使用者が、調整スイッチ３０２ａ，３０２ｂにより設定した水勢に応じた回転数でポンプ１３を運転する。それにより、ビデノズル２の噴出孔から洗浄水が噴出し、ビデ洗浄が行われる。ステップＳ６−１７の動作が洗浄動作に相当する。
【０１７７】
なお、ステップＳ６−１４において、ポンプ１３の回転数を連続的または段階的に増加させ、熱交換機１１へ流入する洗浄水の流量を増加させることにより、止水電磁弁９からノズル洗浄ノズル３の噴出孔までの洗浄水を短時間ですべて入れ替えることが可能となる。例えば、止水電磁弁９からノズル洗浄ノズル１の噴出孔までの洗浄水の流路の容積が２０ｃｃであり、流入開始時の洗浄水の流量が毎分２５０ｃｃの洗浄水である場合、ポンプ１３の回転数を徐々に増加させ、洗浄水の流量を４５０ｃｃとすると、約３．５秒で上記流路の洗浄水をすべて入れ替えることが可能となる。
【０１７８】
それにより、衛生洗浄装置１００の流路内に滞留している空気および洗浄水を短時間でノズル洗浄ノズル３から排出することができる。その結果、ポンプ１３の吐出圧力の変動幅の減衰が防止され、ビデノズル２から安定した洗浄力および洗浄感を有する洗浄水を効率良く噴出することができる。
【０１７９】
また、衛生洗浄装置１００の流路内に滞留している洗浄水をノズル洗浄ノズル３から排出することにより、使用開始時に低温となった洗浄水が噴出されることが防止される。
【０１８０】
さらに、ビデ洗浄処理の後に続けておしり洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、吐出圧力の変動幅の減衰が防止される。
【０１８１】
その結果、洗浄処理を連続的に行う場合おいても、おしりノズル１およびビデノズル２から安定した洗浄力および洗浄感を有する洗浄水を噴出することができる。
【０１８２】
図２２は、図１６のビデ洗浄処理における衛生洗浄装置の詳細な動作の第３の例を示すフローチャートである。
【０１８３】
衛生洗浄装置１００の本体部２００の制御部４は、ビデスイッチ３０６が押下されると、切替弁１４をノズル洗浄ノズル３側に切り替える（ステップＳ６−２０）。
【０１８４】
さらに、制御部４は、止水電磁弁９を開き、熱交換機１１に洗浄水を供給する（ステップＳ６−２１）。次に、制御部４は、熱交換器１１をオンし、洗浄水の加熱を開始する（ステップＳ６−２２）。
【０１８５】
次に、制御部４は、ポンプ１３を低速運転する（ステップＳ６−２３）。それにより、止水電磁弁９から供給される洗浄水が低い流速で熱交換器１１からポンプ１３を経由してノズル洗浄ノズル３に流れる。その結果、流路内の滞留空気が洗浄水とともにノズル洗浄ノズル３の噴出孔から排出される。ステップＳ６−２３の動作が滞留空気の排出動作に相当する。さらに、温度センサ１２ｂにより、洗浄水の温度が所定温度に達したか否かを判別する（ステップＳ６−２４）。
【０１８６】
洗浄水の温度が所定温度に達したことを判別すると、制御部４は、切替弁１４をビデノズル２側に切り替える（ステップＳ６−２５）。それにより、洗浄水がビデノズル２に供給され、洗浄水の圧力によりビデノズル２のピストン部がシリンダ部より突出する。その後、制御部４は、ポンプ１３を通常速度で運転する（ステップＳ６−２６）。この場合、制御部４は、使用者が調整スイッチ３０２ａ，３０２ｂ２より設定した水勢に応じた回転数でポンプ１３を運転する。それにより、ビデノズル２の噴出孔から洗浄水が噴出し、ビデ洗浄が行われる。ステップＳ６−２６の動作が洗浄動作に相当する。
【０１８７】
なお、ステップＳ３−２５における所定温度とは、ビデノズル２の噴出孔から噴出される洗浄水の温度が使用者に不快感を与えない温度となるように設定することが好ましい。
【０１８８】
以上のように、ポンプ１３を通常速度で運転する前に低速度で運転することにより、衛生洗浄装置１００の止水電磁弁９からノズル洗浄ノズル３の噴出孔までの流路に滞留している空気および洗浄水がノズル洗浄ノズル３から排出される。
【０１８９】
その結果、ポンプ１３の吐出圧力の変動幅の減衰が防止され、ビデノズル２から安定した洗浄力および洗浄感を有する洗浄水を噴出することができる。
【０１９０】
また、衛生洗浄装置１００の流路内に滞留している洗浄水をノズル洗浄ノズルから排出することにより、使用開始時に低温となった洗浄水が噴出されることが防止される。
【０１９１】
さらに、おしり洗浄処理の後に続けてビデ洗浄処理を行う場合など、複数の洗浄処理を連続的に行う場合おいても、各々の洗浄処理の間にポンプ１３を低速で運転することにより、洗浄処理時に発生した滞留空気および洗浄水を排出することができ、ポンプ１３の吐出圧力の変動幅の減衰が防止される。
【０１９２】
その結果、洗浄処理を連続的に行う場合おいても、おしりノズル１およびビデノズル２から安定した洗浄力および洗浄感を有する洗浄水を噴出することができる。
【０１９３】
なお、ステップＳ６−２４で洗浄水の温度が所定温度に達したか否かを判別する代わりに、洗浄水の温度の変化率が所定値以下（例えばほぼ一定）になったか否かを判別することにより滞留空気の排出動作を終了してもよい。
【０１９４】
図２３は、本発明の衛生洗浄装置に用いるポンプの他の例を示す断面図である。
【０１９５】
図２３に示すポンプ１３ｂは単動型レシプロポンプである。図２３において、本体部には、円柱状空間２３５が形成されている。円柱状空間２３５内には圧送ピストン２３６が設けられている。圧送ピストン２３６により円柱状空間２３５がポンプ室２３５ａとポンプ室２３５ｂとに分割される。
【０１９６】
本体部の一側部には洗浄水入口Ｐαが設けられ、他側部には洗浄水出口Ｐβが設けられている。洗浄水入口Ｐαには図３の配管２０３を介して熱交換器１１が接続され、洗浄水出口Ｐβには配管２０３を介して切替弁１４が接続される。
【０１９７】
洗浄水入口Ｐαは、小室Ｓ１０および小室Ｓ１１を介してポンプ室２３５ａに連通している。
【０１９８】
ポンプ室２３５ａは、小室Ｓ１２および小室Ｓ１３を介して洗浄水出口Ｐβに連通している。
【０１９９】
モータ２３０の回転軸にギア２３１が取り付けられ、ギア２３１にギア２３２が噛合っている。また、ギア２３２には、クランクシャフト２３３の一端が一点支持で回動可能に取り付けられ、クランクシャフト２３３の他端には、ピストン保持部２３４およびピストン保持棒２３９を介して圧送ピストン２４０が取り付けられている。
【０２００】
図３の制御部４により与えられる制御信号に基いて、モータ２３０の回転軸が回転すると、モータ２３０の回転軸に取り付けられたギア２３１が矢印Ｒ３の方向に回転し、ギア２３２が矢印Ｒ４の方向に回転する。これにより、圧送ピストン２４０が図中の矢印Ｑの方向に上下運動する。
【０２０１】
また、小室Ｓ１１および小室Ｓ１３には、それぞれアンブレラパッキン２３７が設けられている。アンブレラパッキン２３７の構成および動作は、前述した図６に示すアンブレラパッキン１３７の構成および動作と同様である。
【０２０２】
例えば、図２３の圧送ピストン２４０が、下方向に移動し、ポンプ室２３５ａの容積を増加させた場合、小室Ｓ１０の圧力よりもポンプ室２３５ａ内の圧力が低くなるため、小室Ｓ１１に設けられたアンブレラパッキン２３７は、図６（ｂ）に示すように変形する。その結果、洗浄水入口Ｐαから供給された洗浄水が、小室Ｓ１０および小室Ｓ１１を介してポンプ室２３５ａに流入する。この場合、小室Ｓ１１に設けられたアンブレラパッキン２３７は、図６（ａ）に示す状態のまま変形しない。そのため、ポンプ室２３５ａ内の洗浄水が、洗浄水出口Ｐβより吐出されない。
【０２０３】
一方、図２３の圧送ピストン２４０が、上方向に移動し、ポンプ室２３５ａの容積を減少させた場合、小室Ｓ１０の圧力よりもポンプ室２３５ａ内の圧力が高くなるため、小室Ｓ１２に設けられたアンブレラパッキン２３７は、図６（ａ）に示す状態のまま変形しない。その結果、小室Ｓ１０内の洗浄水が、ポンプ室２３５ａに流入しない。この場合、小室Ｓ１３に設けられたアンブレラパッキン２３７、図６（ｂ）に示すように変形する。そのため、ポンプ室２３５ａ内の洗浄水が、小室Ｓ１２および小室Ｓ１３を介して洗浄水出口Ｐβから吐出される。
【０２０４】
図２４は、図２３のポンプの各部の圧力変化を示す図である。図２４の縦軸は圧力を示し、横軸は時間を示す。
【０２０５】
図２４に示すように、ポンプ１３ｂの洗浄水入口Ｐαに圧力Ｐｘの洗浄水が供給される。この場合、図２３の圧送ピストン２４０が上下方向に運動することにより、ポンプ室２３５ａ内の洗浄水の圧力Ｐｘが変化する。それにより、ポンプ１３ｂの洗浄水出口Ｐβより吐出される洗浄水の圧力Ｐｏｕｔは、太い実線で示すように、圧力Ｐｋを中心として上下に周期的に変化する。
【０２０６】
このように、ポンプ１３ｂにおいては、圧送ピストン２４０が上下運動を行うことにより、ポンプ室２３５ａ内の洗浄水に対して圧力が加えられ、洗浄水入口Ｐαの洗浄水が昇圧されて洗浄水出口Ｐβから吐出される。
【０２０７】
本実施の形態においては、おしりノズル１、ビデノズル２およびノズル洗浄ノズル３が噴出手段に相当し、熱交換器１１が加熱手段に相当し、ポンプ１３が加圧手段に相当し、制御部４が制御手段および計時手段に相当する。
【０２０８】
また、おしりスイッチ３０３およびビデスイッチ３０６が指示手段および設定手段に相当し、温度センサ１２６が温度検知手段に相当し、切替弁１４が流路切替手段に相当し、リリーフ弁２０６が流路開放手段に相当する。
【０２０９】
本実施の形態におけるノズル洗浄ノズル３の洗浄水の流路の径は、おしりノズル１およびビデノズル２における洗浄水の流路の径よりも大きくすることが望ましい。これにより、ノズル洗浄ノズル３の流路内における圧力損失を抑制することができ、滞留した空気および洗浄水を効率よくノズル洗浄ノズル３の噴出孔から排出することが可能となる。
【０２１０】
また、本実施の形態においては、ポンプ１３として、複動型レシプロポンプおよび単動型レシプロポンプを用いる場合について説明したが、これに限定されず、回転型ポンプまたは他の往復型ポンプを用いてもよい。
【０２１１】
【発明の効果】
本発明によれば、指示手段による洗浄動作の開始の指示に応答して、制御手段が加圧手段に滞留空気の排出動作をさせる。これにより、給水源から供給された洗浄水が加圧手段により周期的な圧力変動を与えられつつ加圧され、洗浄水中の滞留空気とともに噴出手段から噴出される。その後、制御手段が加圧手段を排出動作から洗浄動作へ移行させることにより、洗浄水が噴出手段から噴出される。
【０２１２】
したがって、洗浄水に与える圧力変動が滞留空気により減衰することを防止することができ、安定した洗浄力および洗浄感を有する洗浄水を噴出手段から噴出することが可能となる。
【図面の簡単な説明】
【図１】本発明の一実施の形態に係る衛生洗浄装置を便器に装着した状態を示す斜視図
【図２】図１の遠隔操作装置の一例を示す模式図
【図３】本発明の一実施の形態に係る衛生洗浄装置の本体部の構成を示す模式図
【図４】熱交換器の構造の一例を示す一部切り欠き断面図
【図５】ポンプの構造の一例を示す断面図
【図６】アンブレラパッキンの動作を説明するための模式図
【図７】図５のポンプの各部の圧力変化を示す図
【図８】ノズルから噴出される洗浄水の水勢の違いによるポンプ１３の圧力変化を示す図
【図９】（ａ）切替弁の縦断面図、（ｂ）切替弁のＡ−Ａ線断面図、（ｃ）切替弁のＢ−Ｂ線断面図
【図１０】図９の切替弁の動作を示す断面図
【図１１】図３のノズル部のおしりノズルの断面図
【図１２】図１１のおしりノズルの動作を説明するための断面図
【図１３】衛生洗浄装置の流路内の滞留空気の有無におけるポンプ１３の吐出圧力の違いを示す図
【図１４】図１４は、時間の経過におけるポンプ１３の圧力変化を示す図
【図１５】衛生洗浄装置の流路内に滞留した気泡の移動を示す図
【図１６】本発明の実施の形態における衛生洗浄装置の動作を示すフローチャート
【図１７】図１６のおしり洗浄処理における衛生洗浄装置の詳細な動作の第１の例を示すフローチャート
【図１８】図１６のおしり洗浄処理における衛生洗浄装置の詳細な動作の第２の例を示すフローチャート
【図１９】図１６のおしり洗浄処理における衛生洗浄装置の詳細な動作の第３の例を示すフローチャート
【図２０】図１６のビデ洗浄処理における衛生洗浄装置の詳細な動作の第１の例を示すフローチャート
【図２１】図１６のビデ洗浄処理における衛生洗浄装置の詳細な動作の第２の例を示すフローチャート
【図２２】図１６のビデ洗浄処理における衛生洗浄装置の詳細な動作の第３の例を示すフローチャート
【図２３】本発明の衛生洗浄装置に用いるポンプの他の例を示す断面図
【図２４】図２３のポンプの各部の圧力変化を示す図
【符号の説明】
１  おしりノズル
２  ビデノズル
３  ノズル洗浄用ノズル
４  制御部
５  分岐水栓
６  ストレーナ
７  逆止弁
８  定流量弁
９  止水電磁弁
１０  流量センサ
１１  熱交換器
１２ａ，１２ｂ  温度センサ
１３  ポンプ
１４  切替弁
２０  ピストン部
２１  シリンダ部
２１ａ  開口部
２１ｂ  ストッパ面
２２  シールパッキン
２３  スプリング
２４  洗浄水入口
２５  噴出孔
２６  ストッパ部
２７  流路
２８  温度変動緩衝部
３０  ノズル部
１００  衛生洗浄装置
２００  本体部
３００  遠隔操作装置
４００  便座部
５００  蓋部
６００  便器
７００  タンク
【図１】
0004091309.tif 000002
【図２】
0004091309.tif 000003
【図３】
0004091309.tif 000004
【図４】
0004091309.tif 000005
【図５】
0004091309.tif 000006
【図６】
0004091309.tif 000007
【図７】
0004091309.tif 000008
【図８】
0004091309.tif 000009
【図９】
0004091309.tif 000010
【図１０】
0004091309.tif 000011
【図１１】
0004091309.tif 000012
【図１２】
0004091309.tif 000013
【図１３】
0004091309.tif 000014
【図１４】
0004091309.tif 000015
【図１５】
0004091309.tif 000016
【図１６】
0004091309.tif 000017
【図１７】
0004091309.tif 000018
【図１８】
0004091309.tif 000019
【図１９】
0004091309.tif 000020
【図２０】
0004091309.tif 000021
【図２１】
0004091309.tif 000022
【図２２】
0004091309.tif 000023
【図２３】
0004091309.tif 000024
【図２４】
0004091309.tif 000025